【手続補正書】
【提出日】令和1年12月16日(2019.12.16)
【手続補正１】
【補正対象書類名】特許請求の範囲
【補正対象項目名】全文
【補正方法】変更
【補正の内容】
【特許請求の範囲】
【請求項１】
小風量を送風する弱気流と、前記小風量よりも大きな大風量を送風する強気流とを発生させる送風制御を実行する制御部と、
香りを導出する香り発生手段と、
を備え、
前記制御部は、前記弱気流から前記強気流へ移行する際の風量である強気流移行風量と、前記強気流の最大風量である強上限風量との差である風量変化幅を予め設定可能とし、前記強上限風量の風量で送風している間のみ選択的に、前記香り発生手段から導出する香りを前記強上限風量の風に同伴させることを特徴とする送風装置。
【請求項２】
小風量を送風する弱気流と、前記小風量よりも大きな大風量を送風する強気流とを発生させる送風制御を実行する制御部と、
香りを導出する香り発生手段と、
を備え、
前記制御部は、前記弱気流から前記強気流へ移行する際の風量である強気流移行風量と、前記強気流の最大風量である強上限風量との差である風量変化幅を予め設定可能とし、前記弱気流の風量で送風している間のみ選択的に、前記香り発生手段から導出する香りを前記弱気流に同伴させることを特徴とする送風装置。
【請求項３】
小風量を送風する弱気流と、前記小風量よりも大きな大風量を送風する強気流とを発生させる送風制御を実行する制御部と、
香香りを導出する香り発生手段と、
を備え、
前記制御部は、前記弱気流から前記強気流へ移行する際の風量である強気流移行風量と、前記強気流の最大風量である強上限風量との差である風量変化幅を予め設定可能とし、前記香り発生手段から導出する互いに異なる香りを前記弱気流及び前記強気流にそれぞれ同伴させることを特徴とする送風装置。
【請求項４】
小風量を送風する弱気流と、前記小風量よりも大きな大風量を送風する強気流とを発生させる送風制御と、香りを導出する香り発生制御とをコンピュータに実行させる送風制御プログラムであって、
前記弱気流から前記強気流へ移行する際の風量と、前記強気流の最大風量である強上限風量との差である風量変化幅を予め設定でき、前記強上限風量の風量で送風している間のみ選択的に、前記香りを導出して前記強上限風量の風に同伴させることを特徴とする送風制御プログラム。
【請求項５】
小風量を送風する弱気流と、前記小風量よりも大きな大風量を送風する強気流とを発生させる送風制御と、香りを導出する香り発生制御とをコンピュータに実行させる送風制御プログラムであって、
前記弱気流から前記強気流へ移行する際の風量と、前記強気流の最大風量である強上限風量との差である風量変化幅を予め設定でき、前記弱気流の風量で送風している間のみ選択的に、前記香りを導出して前記弱気流の風に同伴させることを特徴とする送風制御プログラム。
【手続補正２】
【補正対象書類名】明細書
【補正対象項目名】０００４
【補正方法】変更
【補正の内容】
【０００４】
図１２に示すように、送風制御プログラム１０１は、１／ｆゆらぎでゆらぐ送風量に対応するファンの回転数の基本パターンに基づき、ファン回転数を変化させる第１送風パターン１０２と第２送風パターン１０３とから構成される。第１送風パターン１０２は、予め設定したファンの回転数の第１上限値１０４と第１下限値１０５との間で基本パターンに基づき、ファンの回転数を変化させるものである。一方で、第２送風パターン１０３は、第１送風パターン１０２よりもファンの回転数の振幅を小さくした第２上限値１０６と第２下限値１０７との間で基本パターンに基づき、前記ファンの回転数を変化させるものである。そして、第２送風パターン１０３が第１送風パターン１０２と第１送風パターン１０２との間に入るように設定されているものである。これにより、送風量の変化が小さい第２送風パターン１０３と、送風量の変化が大きい第１送風パターン１０２とを交互に組み合わせることで、第１送風パターン１０２が連続で続く場合よりも、送風量の変化幅を小さくすることができ、理想的なファン送風量と実際のファンの送風量のズレを生じ難くするものである。
【手続補正３】
【補正対象書類名】明細書
【補正対象項目名】０００６
【補正方法】変更
【補正の内容】
【０００６】
【特許文献１】特開２０１４−６６４８５号公報
【手続補正４】
【補正対象書類名】明細書
【補正対象項目名】０００７
【補正方法】変更
【補正の内容】
【０００７】
上記従来例では、送風量の変化が小さい第２送風パターン１０３と送風量の変化が大きい第１送風パターン１０２とを交互に組み合わせることで、送風量の変化幅を小さくするゆらぎ制御について述べられている。しかし、従来例の課題として、第２送風パターン１０３から第１送風パターン１０２へ移行する際、送風量の変化幅が小さくなることで、ユーザーが風速変化のない人工的な風と感じてしまう課題があった。
【手続補正５】
【補正対象書類名】明細書
【補正対象項目名】０００８
【補正方法】変更
【補正の内容】
【０００８】
すなわち、上記従来例のゆらぎ制御プログラムにおいて、ユーザーが一定風速の人工的な風を浴びていると感じ、風の自然さを感じられないという課題があった。そこで本発明は、上記従来例を解決するものであり、より自然なゆらぎを感じる風と自然な香りをユーザーに提供することを目的とする。
【手続補正６】
【補正対象書類名】明細書
【補正対象項目名】０００９
【補正方法】変更
【補正の内容】
【０００９】
そして、この目的を達成するために、本発明は、小風量を送風する弱気流と、小風量よりも大きな大風量を送風する強気流とを発生させる送風制御を実行する制御部と、香りを導出する香り発生手段と、を備える。そして、制御部は、弱気流から強気流へ移行する際の風量である強気流移行風量と、強気流の最大風量である強上限風量との差である風量変化幅を予め設定可能とし、強上限風量の風量を送風している間のみ選択的に、香り発生手段から導出する香りを強上限風量の風に同伴させることを特徴とするものであり、これにより所期の目的を達成するものである。
【手続補正７】
【補正対象書類名】明細書
【補正対象項目名】００１０
【補正方法】変更
【補正の内容】
【００１０】
本発明によれば、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こすが、強上限風量の風の間のみ香りが同伴されるため、嗅覚疲労の増加を抑制できる。
【手続補正８】
【補正対象書類名】明細書
【補正対象項目名】００１３
【補正方法】変更
【補正の内容】
【００１３】
本発明に係る送風装置は、小風量を送風する弱気流と、小風量よりも大きな大風量を送風する強気流とを発生させる送風制御を実行させる制御部と、香りを導出する香り発生手段と、備える。そして、制御部は、弱気流から強気流へ移行する際の風量である強気流移行風量と、強気流の最大風量である強上限風量との差である風量変化幅を予め設定可能とし、強上限風量の風量を送風している間のみ選択的に、香り発生手段から導出する香りを強上限風量の風に同伴させる。これにより、風速変化のない人工的な風であるとユーザーが感じることを防止し、自然の風に見られる大きな風速の変化を確実にユーザーに感じさせることができ、強上限風量の送風の間、風に香りを同伴させることができ、より自然なゆらぎと感じる風と自然を感じる香りをユーザーに提供することができる。また、強上限風量の風に香りを同伴させるため、高濃度の香りが風に同伴され、ユーザーが香りを明確に感じることができる。更に、人間の鼻はずっと同じ香りを嗅ぎ続けると嗅覚疲労を起こ
すが、強上限風量の風の間のみ香りが同伴されるため、嗅覚疲労の増加を抑制できるという効果を奏する。
【手続補正９】
【補正対象書類名】明細書
【補正対象項目名】００１４
【補正方法】変更
【補正の内容】
【００１４】
また、本発明に係る別の送風装置は、小風量を送風する弱気流と、小風量よりも大きな大風量を送風する強気流とを発生させる送風制御を実行させる制御部と、香りを導出する香り発生手段と、を備える。そして、制御部は、弱気流から強気流へ移行する際の風量である強気流移行風量と、強気流の最大風量である強上限風量との差である風量変化幅を予め設定可能とし、弱気流の風量を送風している間のみ選択的に、香り発生手段から導出する香りを弱気流に同伴させる。これにより、弱気流の間、風に香りを同伴させることができ、より自然なゆらぎと感じる風と自然を感じる香りをユーザー５に提供することができる。また、人間の鼻はずっと同じ香りを嗅ぎ続けると嗅覚疲労を起こすが、弱気流の間のみ、香りが同伴されるため、嗅覚疲労の増加を抑制できるという効果を奏する。
【手続補正１０】
【補正対象書類名】明細書
【補正対象項目名】００１５
【補正方法】変更
【補正の内容】
【００１５】
また、本発明に係る別の送風装置は、小風量を送風する弱気流と、小風量よりも大きな大風量を送風する強気流とを発生させる送風制御を実行させる制御部と、香りを導出する香り発生手段と、を備える。そして、制御部は、弱気流から強気流へ移行する際の風量である強気流移行風量と、強気流の最大風量である強上限風量との差である風量変化幅を予め設定可能とし、香り発生手段から導出する互いに異なる香りを弱気流及び強気流にそれぞれ同伴させる。これにより、強上限風量の送風の間は風量が大きいため、沢山の香りがユーザーに届き、濃度の高い香りを提供でき、弱気流の送風の間は風量が小さいため、少量の香りがユーザーに届き、濃度の低い香りを提供することができる。また、複雑な機構を用いることなく、風の風量に応じた濃度の香りを風に同伴させることができ、より自然なゆらぎと感じる風と自然を感じる香りをユーザーに提供することができる。
【手続補正１１】
【補正対象書類名】明細書
【補正対象項目名】００５９
【補正方法】変更
【補正の内容】
【００５９】
また、弱下限風量３１の風量で送風している間、シャッター５１を“開”状態となるように信号出力部１７からシャッター５１へ信号を出力し、弱気流２１で送風しない場合には、シャッター５１を“閉”状態となるように信号出力部１７からシャッター５１へ信号を出力するようにしてもよい。これにより、弱下限風量３１の風量で送風している間、風に香りを同伴させることができ、より自然なゆらぎと感じる風と自然を感じる香りをユーザーに提供することができる。
（実施の形態３）
以下、本発明の実施の形態３について、図１１を参照しながら説明する。
【手続補正１２】
【補正対象書類名】明細書
【補正対象項目名】００６３
【補正方法】変更
【補正の内容】
【００６３】
本実施の形態では、ゆらぎ制御プログラム１５を設定する際、風量変化幅２５が、前述した自然の風の風速変化幅２０を満たすように、強気流移行風量２３を第３弱上限風量３３と第３弱下限風量３４との間で可変に調整した。つまり、強気流移行風量２３を調整することで、ユーザー５に第３弱気流３２および強気流２２が到達した際、風速変化幅２０が（特徴４）にて前述した０．４ｍ／ｓ以上、１．２ｍ／ｓ以下となるように風量変化幅２５を調整する。これは、風速変化幅２０が０．４ｍ／ｓ未満の場合、ユーザー５が風速の変化を感じられず、風速が一定の人工的な風と感じてしまう。一方で、風速変化幅２０が１．２ｍ／ｓを超えて大きい場合、風による刺激の強さが急激に変化し、驚いたユーザーが不快に感じるおそれがある。図９において、仮に強気流移行風量２３を第３弱下限風量３４に設定した場合、強上限風量２４はユーザー５へ到達する風速が１．６ｍ／ｓであり、第３弱下限風量３４はユーザー５へ到達する風速が０．２ｍ／ｓであるため、風速変化幅２０は１．４ｍ／ｓとなり、前述した１．２ｍ／ｓを超える。このとき、風による刺激の強さが急激に変化し、驚いたユーザーが不快に感じるおそれがある。したがって、図９に示すように、強気流移行風量２３を第３弱上限風量３３に設定することで、風速変化幅２０を１．２ｍ／ｓに調整でき、ユーザー５はより自然なゆらぎを感じることができる。